(57)【要約】【課題】外科手術が行なわれるまでの応急処置として、開胸せずに装着でき、脆弱化した心筋を保護できる心室補綴具を提供する。【解決手段】急性心筋梗塞とともに心タンポナーデ等の合併症を併発した場合などに、心臓１０１の心室内に装着される心室補綴具１である。一端に開口２ａを有する柔軟な袋状の隔膜部２と、常態において隔膜部２を開き状態に保持する保形部３と備える。隔膜部２は長軸の中心側に開口２ａを有する半楕円体形状に形成されていて、保形部３が線状に圧縮変形可能に構成されている。【選択図】    図６
2010220833.tif 000002
【特許請求の範囲】
【請求項１】
心臓の心室内に装着される心室補綴具であって、
一端に開口を有する柔軟な袋状の隔膜部と、
前記隔膜部に設けられ、常態において前記隔膜部を開き状態に保持する保形部と、
を備え、
前記隔膜部が長軸の中心側に前記開口を有する半楕円体形状に形成され、
前記保形部が線状に圧縮変形可能に構成されている心室補綴具。
【請求項２】
請求項１に記載の心室補綴具であって、
前記保形部が、弾性変形可能な線状部材を用いて周方向に収縮可能に形成された環状の部材からなり、前記開口の縁に沿うように設けられている心室補綴具。
【請求項３】
請求項２に記載の心室補綴具であって、
前記保形部が、複数の直線状の枝腕部を有し、隣接する２つの枝腕部の一端が互いに弾性屈曲可能に接続されて波線状に形成されている心室補綴具。
【請求項４】
請求項２または請求項３に記載の心室補綴具であって、
前記保形部と同形態の補助保形部を更に備え、
１個以上の前記補助保形部が前記隔膜部の尖端側に設けられている心室補綴具。
【請求項５】
請求項１に記載の心室補綴具であって、
前記保形部が半楕円形状に形成された弾性変形可能な複数の線状部材で構成され、これら各線状部材が、それぞれ前記隔膜部と一体に取り付けられて放射状に組み合わされている心室補綴具。
【請求項６】
請求項１〜請求項５のいずれか１つに記載の心室補綴具であって、
前記開口の縁部の一端から他端に糸状部材が渡されている心室補綴具。
【請求項７】
請求項１に記載の心室補綴具であって、
前記保形部が弾性変形可能な複数の線状部材で構成され、これら各線状部材が、それぞれ前記開口内に渡されて放射状に組み合わされている心室補綴具。
【発明の詳細な説明】
【技術分野】
【０００１】
本発明は、心室が破れた場合等、応急的に心臓に装着される心室補綴具に関する。
【背景技術】
【０００２】
心臓疾患の１つに急性心筋梗塞がある。急性心筋梗塞は、心臓を形成している心筋に血液を送る冠動脈が突然閉塞することにより血液の供給が途絶え、心筋が壊死する疾患である。閉塞は、主として粥種や血栓が血管内で詰まることによって引き起こされる。急性心筋梗塞によって心筋の広範な範囲で収縮機能が失われたり、心室細動のような致死性不整脈が発生すると、心臓が血液を駆出できなくなって突然死を招くおそれがある。
【０００３】
例えば、図１の（ａ）は、急性心筋梗塞を発症した患者の心臓１０１を表している。まず、心臓１０１には左心房１０２や左心室１０３、右心房１０４、右心室１０５がある。左右それぞれの心房１０２，１０４と心室１０３，１０５との間には三尖弁１０６や僧帽弁１０７があって、これらによって心房１０２，１０４と心室１０３，１０５との間が開閉可能に区画されている。左右の心房１０２，１０４間は心房中隔１０８によって、左右の心室１０３，１０５間は心室中隔１０９によってそれぞれ区画されている。このような構造の心臓１０１に対し、全身をまわった静脈血は大静脈１１０を通って右心房１０４に入り、三尖弁１０６、右心室１０５を経て、心臓１０１のポンプ作用によって肺に送られる。肺から戻る動脈血は、左心房１０２に入り、矢印線が示すように、僧帽弁１０７、左心室１０３を経て、心臓１０１のポンプ作用により、大動脈１１１を通って全身に送られる。
【０００４】
図示はしないが、問題となる冠動脈は複数あって、それぞれ概ね大動脈１１１の基部から心臓１０１を取り巻くように心尖部１０１ａに向かって延びている。そのため、閉塞が発生する部位は様々ではあるが、心筋が壊死する部位（壊死部位１１２ともいう）は、図１に網目線で示すように、冠動脈の末端側に位置する心臓１０１の心尖部１０１ａ側で生じ易い傾向がある。壊死部位１１２の心筋は脆弱になるため、急性心筋梗塞になると様々な合併症が併発する。
【０００５】
例えば、同図の（ｂ）に示すように、心室の自由壁が破綻すると心室破裂が起こって動脈血が心室の外に噴出する。心臓１０１は袋状の心膜１１３によって覆われているため、噴出した動脈血はその心膜１１３内に貯留し、心臓１０１を圧迫する「心タンポナーデ」を引き起こす。また、同図の（ｃ）に示すように、心室中隔１０９が破綻して孔が開くと「心室中隔穿孔」を引き起こして動脈血が右心室１０５に大量に流入し、右心室１０５に大きな負担をかけることとなる。いずれの場合も、急性心不全や心停止をきたすおそれがある。
【０００６】
本発明に関し、大動脈瘤の治療に用いられるステントグラフトが知られている（特許文献１、２等）。例えば、特許文献２には、形状記憶合金製のワイヤーを網目状に交絡させて筒形に形成したステントに、人造チューブなどのグラフトを一体に被せたステントグラフトが開示されている。
【０００７】
うっ血性心不全に苦しむ患者の心臓の駆出率を改善するために、左心室内を生産的部分と非生産的部分とに区画する区画装置が提案されている（特許文献３、４）。この区画装置は漏斗状の外観を呈し、先端がＪ字状等に形成されたステムと、このステムの基端から放射状に拡がる複数のリブと、これらリブに取り付けられた円錐状の区画膜とを備えている。各リブの先端は尖っている。区画装置は、折り畳んでカテーテルを介して患者の左心室に導入される。所定位置で区画装置を拡げるとリブの先端が心臓の組織に刺さって固定されるため、区画膜により左心室内が区画される。
【先行技術文献】
【特許文献】
【０００８】
【特許文献１】特開２００８−２００２９３号公報
【特許文献２】特開２００４−３４４６３４号公報
【特許文献３】特表２００７−５１７５９６号公報
【特許文献４】特表２００８−５４５５１０号公報
【発明の概要】
【発明が解決しようとする課題】
【０００９】
急性心筋梗塞を発症し、心タンポナーデや心室中隔穿孔などの合併症を併発したような場合には、時間の経過とともに急激に救命率が低下するため、緊急に外科手術を行い、破綻箇所を縫合して止血する必要がある。
【００１０】
ところが、心臓カテーテル検査で診断が確定しても、患者の搬送や手術の準備など、実際に手術を行って処置が終わるまでには、少なくとも数時間は必要である。その間、心室からは動脈血が流出し続けるため、患者は強いうっ血性心不全の状態となり、激しい侵襲が患者を苦しめるうえに臓器障害をきたすおそれもある。また，図１（ｂ）に示す心タンポナーデの状態を軽減するために胸壁体表から心嚢内１１０に管を挿入して血液を抜き出す処置（心嚢ドレナージ）を行うが，心室に孔があるため血液が出続けてしまう．
本発明はかかる点に鑑みてなされたものであり、その目的とするところは、比較的容易に応急処置ができ、外科手術が行われるまで病態の急激な悪化を防ぐことができる心室補綴具を提供することにある。
【課題を解決するための手段】
【００１１】
上記目的を達成するために、本発明では、カテーテルを用いて比較的簡単かつ短時間で処置することができ、心室からの動脈血の流出を応急的に抑制できるように工夫した。
【００１２】
すなわち、本発明は、心臓の心室内に装着される心室補綴具であって、一端に開口を有する柔軟な袋状の隔膜部と、前記隔膜部に設けられ、常態において前記隔膜部を開き状態に保持する保形部と、を備え、前記隔膜部が長軸の中心側に前記開口を有する半楕円体形状に形成され、前記保形部が線状に圧縮変形可能に構成されている。
【００１３】
このような構成の心室補綴具によれば、まず、隔膜部が、心室の心尖部周辺の形状と同様の半楕円体形状に形成されているので、心室補綴具を心室内に装着したときにその内壁に密着し易い。隔膜部は柔軟であるため、小さく収縮させることができ、保形部も線状に圧縮変形可能に構成されているので、心室補綴具をカテーテル等の内部に収容して移送させることができる。隔膜部は、常態、つまり外力が作用していない通常の状態では保形部によって開き状態に保持されるため、心室内でカテーテル等から押し出すだけで、心室補綴具は自動的に拡がって心室の内壁に装着される。
【００１４】
従って、カテーテル等を用いて心室補綴具を心臓の心室内に送り込んで押し出すだけで装着できるので、開胸しなくてよいし操作も比較的簡単であるため、短時間で処置できる。心室の心尖部周辺の心筋全体（正常な部位も含む）に隔膜部が装着されるので、壊死部位が補強され、破綻や動脈血の流出を軽減することができる。保形部も圧縮変形可能であるので心臓のポンプ機能を維持することができる。
【００１５】
具体的には、前記保形部が、弾性変形可能な線状部材を用いて周方向に収縮可能に形成された環状の部材からなり、前記開口の縁に沿うように設けられているものとすることができる。
【００１６】
線状部材を用いて保形部を形成することで、線状に圧縮変形させ易くなってその総容積が小さくなるため、カテーテル等での移送を円滑にすることができる。保形部を周方向に収縮可能な環状の部材とすることで、心臓のポンプ作用を邪魔することなく隔膜部を心室の内壁に密着し易くできる。隔膜部の開口の縁に沿うように心室補綴具を設けることで、隔膜部をしっかりと開くことができ、動脈流によって隔膜部が捲れ上がったりするのを防ぐことができる。
【００１７】
より具体的には、前記保形部が、複数の直線状の枝腕部を有し、隣接する２つの枝腕部の一端が互いに弾性屈曲可能に接続されて波線状に形成されているようにすればよい。かかる構成によれば、簡素でありながら保形部をその周方向に大きく収縮させることができるし、弾性にも優れる。
【００１８】
また、前記保形部と同形態の補助保形部を更に備え、１個以上の前記補助保形部が前記隔膜部の尖端側に設けられているようにしてあってもよい。。
【００１９】
そうすれば、隔膜部がよりいっそう半楕円体形状に保持されるため、隔膜部が心室の内壁に密着し易くなって脆弱化した心筋をしっかりと保護することができる。
【００２０】
前記保形部は、例えば、半楕円形状に形成された弾性変形可能な複数の線状部材で構成され、これら各線状部材が、それぞれ前記隔膜部と一体に取り付けられて放射状に組み合わされているものであってもよい。
【００２１】
この場合、各線状部材が隔膜部の形状に合わせて半楕円形状に形成されていて、隔膜部と一体に取り付けられて放射状に組み合わされているので、隔膜部が半楕円体形状に保持され易くなり、脆弱化した心筋をしっかりと保護することができる。構造も簡素で製造コストや部材コストの面で有利であるし、保形部の占める容積も小さくなってカテーテルでの移送が楽になる。
【００２２】
特に、前記開口の縁部の一端から他端に糸状部材を渡しておくのが好ましい。
【００２３】
そうすれば、糸状部材で隔膜部の開口の開き量を規制することができる。開き量を調整することで大きさの異なる心臓により適切に対応できるようになり、心臓により負担をかけずに済む。また、装着時に、心室補綴具が位置ずれしたり傾いたりした場合に、この糸状部材を摘んで装着状態を簡単に修正することができる。
【００２４】
また、前記保形部は、弾性変形可能な複数の線状部材で構成され、これら各線状部材が、それぞれ前記開口内に渡されて放射状に組み合わされているようにしてあってもよい。
【００２５】
この場合、線状部材が開口内に渡されて放射状に組み合わされているので、よりしっかりと開口を開き状態に保持できる。構造が簡素になるため、製造コストや部材コストの面で有利である。圧縮変形時に保形部が占める容積も小さくなるため、移送し易くなる。更に、糸状部材がなくても線状部材を摘んで心室補綴具の装着位置を簡単に修正することができる。
【発明の効果】
【００２６】
以上説明したように、本発明の心室補綴具によれば、診断が確定した時点で開胸せずに比較的短時間で心室内に装着でき、脆弱化した心筋を応急的に保護することができる。外科手術が行なわれるまで病態の急激な悪化を防ぐことができるようになり、外科手術での救命率を向上させることができる。
【図面の簡単な説明】
【００２７】
【図１】急性心筋梗塞やその合併症を説明するための図である。（ａ）は急性心筋梗塞が発生した心臓を、（ｂ）は心タンポナーデを併発した心臓を、（ｃ）は心室中隔穿孔を併発した心臓をそれぞれ表している。
【図２】本実施形態の心室補綴具の概略斜視図である。（ａ）はその常態を、（ｂ）は収縮した状態をそれぞれ表している。
【図３】心室補綴具を心室に装着する操作を説明するための図である。
【図４】心室補綴具を心室に装着する操作を説明するための図である。（ａ）、（ｂ）はそれぞれ操作の主な段階を表している。
【図５】心室補綴具を心室に装着する操作を説明するための図である。（ａ）、（ｂ）はそれぞれ操作の主な段階を表している。
【図６】心室補綴具を心室に装着した状態を示す図である。
【図７】心室補綴具の装着状態を修正する操作を説明するための図である。
【図８】心室補綴具の変形例を示す概略斜視図である。（ａ）はその常態を、（ｂ）は収縮した状態をそれぞれ表している。
【図９】心室補綴具の変形例を示す概略斜視図である。（ａ）はその常態を、（ｂ）は収縮した状態をそれぞれ表している。
【発明を実施するための形態】
【００２８】
以下、本発明の実施形態を図面に基づいて詳細に説明する。ただし、以下の説明は、本質的に例示に過ぎず、本発明、その適用物あるいはその用途を制限するものではない。
【００２９】
（心室補綴具）
図２に、本実施形態の心室補綴具１を示す。この心室補綴具１には、一端に開口２ａを有する袋状の隔膜部２や保形部３、補助保形部４が備えられている。同図の（ａ）に示すように、この心室補綴具１は、外力が作用していない通常の状態（常態）では口の開いた立体的形状となり、押さえ付けると、同図の（ｂ）に示すように、細長い線状に圧縮変形してカテーテル等に挿入可能となる。
【００３０】
隔膜部２は、シート状の素材を用いて、長軸の中心側が開口する半楕円体形状に形成されている。この形状は、心室の心尖部１０１ａ側の形状に合わせて形成されたものであり、心室補綴具１を心室内の心尖部１０１ａ側に装着したときに、隔膜部２が心筋内壁と密着するように当接し、脆弱化した心筋を内側からしっかりと保護できるようになっている。隔膜部２の長軸側の長さ寸法や開口径等は、心臓１０１の大きさに応じて任意に設定することができる。
【００３１】
隔膜部２の素材としては、成形が比較的容易であることから、ポリエステルやポリエチレン、ポリプロピレン等の合成樹脂が好適に使用できる。隔膜部２は一体成形で形成してもよいし、１または２以上の部材を接合して立体的に形成してもよい。ただし、その素材は、小さく収縮できるように、柔軟性を有し、厚みの薄いものが好ましく、心筋への負荷を軽減するために、伸縮性が低くて強度に優れたものが好ましい。また、血液の透過性がないものかあるいは極めて小さいものが好ましい。
【００３２】
保形部３は、弾性変形可能な金属や合成樹脂を素材とする径の細い線状の部材（線状部材３ａともいう）を用いて形成された環状の部材からなる。線状部材３ａは、周方向に波線状に延びるように形成されていて、周方向に収縮可能となっている。詳しくは、保形部３は、その周方向の一定間隔ごとに位置する直線状の枝腕部３ｂ，３ｂ，…を複数有し、これら枝腕部３ｂ，３ｂ，…がそれぞれ互い違いに隔膜部２の周面に沿って斜め方向に延びており、隣接する２つの枝腕部３ｂ，３ｂの一端どうしが互いに弾性屈曲可能に接続されている。
【００３３】
従って、保形部３を圧縮して、隣接する枝腕部３ｂ，３ｂどうしが互いに接するように収縮させると、保形部３は図２の（ｂ）に示すように細長く線状に弾性変形する。保形部３は、隔膜部２の開口２ａの縁に沿うようにその内側に一体に設けられ、半径方向外側から外力が加わると容易に収縮して、隔膜部２を開き方向に付勢する機能を有している。
【００３４】
隔膜部２の尖端２ｂ側には、保形部３に隣接して補助保形部４が設けられている。この補助保形部４は、その直径寸法が保形部３よりも小さく形成されている点を除けば保形部３と同様の形態をしている。すなわち、補助保形部４も弾性変形可能な波線状の線状部材４ａで環状に形成されていて、隣接する一端どうしが互いに弾性屈曲可能に接続された複数の枝腕部４ｂ，４ｂ，…を有している。本実施形態では、補助保形部４を１つ設けたが、２つ以上設けてあってもよい。但し、隔膜部２の尖端２ｂの部分には、収縮させてカテーテル内を移送させるときに線状部材４ａが集中して隔膜部２を突き破らないように、隔膜部２のみが存在する保護領域２ｃを設けておくのが好ましい。
【００３５】
心室補綴具１の開口２ａには糸状部材５が設けられている。この糸状部材５は、非伸縮性あるいは低伸縮性の素材を用いて形成された細い糸状の部材である。糸状部材５は、隔膜部２における開口２ａの縁部の所定の一端から対向する他端に渡されている。本実施形態では糸状部材５は複数設けられていて、各糸状部材５がそれぞれ開口２ａの中心で重なるように放射状に配設されている。
【００３６】
（心室補綴具の装着方法）
次に、このような形態の心室補綴具１の装着方法について説明する。図３に人体の要部を表した模式図を示す。例えば、心臓カテーテル検査で検査した結果、急性心筋梗塞が認められ、心タンポナーデを併発していると診断されたとする。その場合、時間の経過とともに病態が悪化して救命率が急激に低下するため、直ちに緊急の外科手術を行う必要がある。
【００３７】
しかし、そのような外科出術を行う設備がない場合には、患者を設備のある施設まで搬送する必要があるし、設備があっても外科手術の準備には時間を要するため、診断が確定しても直ぐに処置できるとは限らない。その間、心室からは動脈血が流出し続けるため、患者は強いうっ血性心不全の状態となり、激しい侵襲が患者を苦しめるうえに臓器障害をきたすおそれもある。
【００３８】
そこで、外科出術が行われるまでの間、脆弱化した心筋の壊死部位１１２を保護して心室からの動脈血の流出を軽減させるために、カテーテル５１等を用いて心室補綴具１を左心室１０３に装着する。まず、患者のそけい部を切開し、ガイドワイヤ５２をそこから大腿静脈１１４を介して中枢側に送り込み、心臓１０１の右心房１０４まで挿入する。なお、心室補綴具１を心室に装着するための器具には、一般に僧帽弁狭窄症の治療で行われる経皮経静脈僧帽弁交連裂開術（ＰＴＭＣ）の器具が利用できる。
【００３９】
図４の（ａ）に示すように、ガイドワイヤ５２をガイドとして右心房１０４に送り込んだ穿刺針５５で心房中隔１０８を穿通し、ガイドワイヤ５２の先端部を左心房１０２に送り込む。このガイドワイヤ５２に沿わしてカテーテル５１を送り込み、同図の（ｂ）に示すように、カテーテル５１の先端部分が僧帽弁１０７を介して左心室１０３内の心尖部１０１ａ近くに達するまで送り込む。このカテーテル５１を左心室１０３内に送り込む一連の操作は、レントゲン透視ガイドで行ってもよいが、レントゲン透視ガイドでは僧帽弁１０７などが見えないため、経食道心エコー法（ＴＥＥ）ガイドにより行うのが好ましい。
【００４０】
図５の（ａ）に示すように、こうして先端部分が左心室１０３内に送り込まれたカテーテル５１の基端部から、線状に圧縮変形させた心室補綴具１をその隔膜部２の尖端２ｂ側から挿入し、ロッド５３を操作して心室補綴具１を中枢側に送り込んでいく。同図の（ｂ）に示すように、カテーテル５１の先端から心室補綴具１が押し出されると、心室補綴具１は補助保形部４や保形部３の作用により自動的に膨張する。心室補綴具１の全体を押し出すと、図６に示すように左心室の心尖部１０１ａ周辺部位を心室補綴具１によって内側から覆うことができる。
【００４１】
このようにカテーテル５１等を用いて心室内に押し出すだけで心室補綴具１を装着できるため、開胸せずに診断の確定後直ぐに応急処置ができる。
【００４２】
隔膜部２の形状は装着される心尖部１０１ａ周辺の形状に合わせて形成されているので、正常な部位を含めた左心室１０３の比較的大きな領域全体で内圧が受け止められ、脆弱化した心筋の壊死部位１１２を保護することができる。隔膜部２の開口２ａの開き量も糸状部材５で規制できるので、個々の心臓１０１に合わせて微調整でき、隔膜部２を適正に装着することができる。心室補綴具１を開き状態に保持する保形部３や補助保形部４は圧縮変形可能であるため、心臓１０１のポンプ機能は維持される。しかも、保形部３等は隔膜部２を開き方向に付勢しながら収縮するため、心臓１０１が動脈血を送り出すために収縮すればするほど、保形部３や補助保形部４は心室内壁によく密着する。従って、隔膜部２と心室内壁との間に動脈血が漏れて入り込むのを効果的に抑制できる。
【００４３】
このように、心筋の壊死部位１１２に大きな負荷をかけずに、心臓１０１本来の機能を維持発揮させることができるので、外科手術が行われるまでの間、急激な病態の悪化を防ぐことができる。なお、左心室１０３に装着された心室補綴具１は外科手術の際に取り出せばよい。
【００４４】
ところで、カテーテル５１から心室補綴具１を押し出したとき、心室補綴具１が傾いたりずれたりして適正に装着できないおそれがある。そのような場合には糸状部材５を利用して心室補綴具１の装着状態を修正できるようになっている。例えば、図７に示すように、カテーテル５１を介して先端に鉗子を備えた器具５４を送り込み、その器具を操作して糸状部材５を摘んで心室補綴具１の装着状態を修正すればよい。糸状部材５は開口２ａの内側に張り渡されているので簡単に摘んで短時間で処置できる。
【００４５】
なお、本発明にかかる心室補綴具１は、前記の実施形態に限定されず、それ以外の種々の構成をも包含する。
【００４６】
例えば、図８に心室補綴具の変形例を示す。この心室補綴具１Ａには、保形部３や補助保形部４と同様の機能を発揮する異なる形態の保形部（第２保形部３Ａともいう）が設けられている。なお、第２保形部３Ａを除けば、上記実施形態と同様であるため、同じ構成については同じ符号を付してその説明は省略する。
【００４７】
第２保形部３Ａは、半楕円形状に曲げられた弾性変形可能な複数の線状部材３０，３０，…で構成されている。各線状部材３０の素材は上記実施形態と同様である。各線状部材３０は、それぞれ隔膜部２の内側の周面に沿うようにして隔膜部２に一体に取り付けられている。各線状部材３０の曲がった中間部分はそれぞれ隔膜部２の尖端２ｂに重なって位置し、隔膜部２の長軸方向に見てそこから放射状に拡がるように各線状部材３０が組み合わされている。
【００４８】
従って、この心室補綴具１は、同図の（ａ）に示すように、常態では開き状態に保持され、半径方向から押しつぶすと、各線状部材３０がその中間部分で大きく弾性変形して第２保形部３Ａが線状に圧縮変形し、カテーテル５１等に挿入できるようになる。もちろん、外力が無くなれば、第２保形部３Ａが膨張して元の状態に復帰する。
【００４９】
この場合、隔膜部２が半楕円体形状に保持され易くなるため、左心室１０３により密着するように装着できる。構造も簡素で製造コストや部材コストの面でも有利である。線状部材３０の占める容積も相対的に小さくなるため、カテーテル５１内を移送し易くなる。
【００５０】
図９に、心室補綴具の別の変形例を示す。この心室補綴具１Ｂでも、保形部３や補助保形部４と同様の機能を発揮する異なる形態の保形部（第３保形部３Ｂともいう）が設けられている。
【００５１】
第３保形部３Ｂは、僅かに湾曲した弾性変形可能な複数の線状部材３１，３１，…で構成されている。この変形例でも各線状部材３１の素材は上記実施形態と同様である。各線状部材３１は、その突出側を隔膜部２の内側に向けた状態で、それぞれ開口２ａの縁部における対向する端部間を渡るように隔膜部２に設けられている。各線状部材３１の中間部分はそれぞれ開口２ａの中央部分に重なって位置し、隔膜部２の長軸方向に見てそこから放射状に拡がるように各線状部材３１が組み合わされている。
【００５２】
従って、この心室補綴具１は、同図の（ａ）に示すように、常態では開き状態に保持され、半径方向から押しつぶすと、各線状部材３１がその中間部分で大きく弾性変形して第３保形部３Ｂが線状に圧縮変形し、カテーテル５１等に挿入できるようになる。もちろん、外力が無くなれば、第３保形部３Ｂが膨張して元の状態に復帰する。
【００５３】
この場合、線状部材３１が開口２ａ内に渡されて放射状に組み合わされているので、よりしっかりと開口２ａを開き状態に保持できる。構造も簡素で製造コストや部材コストの面で有利である。線状部材３１が占める容積も相対的に小さくなるため、カテーテル５１内を移送し易くなる。しかも、線状部材３１を摘むことができるので、心室補綴具１の装着位置を簡単に修正することができる。
【符号の説明】
【００５４】
１  心室補綴具
２  隔膜部
２ａ  開口
２ｂ  尖端
３  保形部
３ａ  線状部材
３ｂ  枝腕部
４  補助保形部
５  糸状部材
【図１】
2010220833.tif 000003
【図２】
2010220833.tif 000004
【図３】
2010220833.tif 000005
【図４】
2010220833.tif 000006
【図５】
2010220833.tif 000007
【図６】
2010220833.tif 000008
【図７】
2010220833.tif 000009
【図８】
2010220833.tif 000010
【図９】
2010220833.tif 000011